(57)【要約】【課題】釣竿の出し入れが容易であるとともに、開口部の開放時に釣竿が収納空間から不用意に脱落することを防止できる釣竿ケースを提供することを目的とする。【解決手段】本発明の釣竿ケース１は、釣竿１０Ａ〜１０Ｄを収納可能な収納空間Ｓを内側に形成するとともに、収納空間Ｓに対して釣竿を出し入れするための開口部５０をその長手方向のほぼ全長にわたって有するケース本体２と、開口部５０を開閉するための開閉手段３，２０Ａ，２０Ｂと、開口部５０を形成するケース本体２の対向する内面２ａ’，２ｂ’同士を係脱自在に係止させて開口部５０を部分的に閉じるための係止手段３０Ａ，３０Ｂとを備える。【選択図】図３
2014045703.tif 000002
【特許請求の範囲】
【請求項１】
釣竿を収納可能な収納空間を内側に形成するとともに、前記収納空間に対して釣竿を出し入れするための開口部をその長手方向のほぼ全長にわたって有するケース本体と、
前記開口部を開閉するための開閉手段と、
前記開口部を形成する前記ケース本体の対向する内面同士を係脱自在に係止させて前記開口部を部分的に閉じるための係止手段と、
を備えることを特徴とする釣竿ケース。
【請求項２】
前記係止手段が面ファスナまたはホックから形成されることを特徴とする請求項１に記載の釣竿ケース。
【請求項３】
前記開閉手段は、前記開口部を閉じるための蓋体と、この蓋体の内面と前記ケース本体の外面とに設けられて互いに着脱自在に接続する接続手段とから成ることを特徴とする請求項１または請求項２に記載の釣竿ケース。
【請求項４】
前記接続手段が面ファスナまたはホックから形成されることを特徴とする請求項３に記載の釣竿ケース。
【請求項５】
前記開口部は、前記ケース本体の長手方向に延びる面の全長にわたって形成されるとともに、前記収納空間の奥行き方向に延びる前記ケース本体の面に至るまで形成されていることを特徴とする請求項１ないし請求項４のいずれか１項に記載の釣竿ケース。
【発明の詳細な説明】
【技術分野】
【０００１】
本発明は、釣竿を収納するための釣竿ケースに関する。
【背景技術】
【０００２】
釣竿を釣竿ケースに収納して釣り場まで持ち運ぶことは、従来から一般的に行なわれている。そのような釣竿ケースは、通常、釣竿を収納するための空間を内部に形成する長尺なケース本体を備え、該ケース本体は、釣竿を出し入れするため開口部をその長手方向のほぼ全長にわたって有する（例えば、特許文献１参照）。また、前記開口部は、一般に、ファスナ等によって開閉可能となっている
【０００３】
ところで、このような釣竿ケースは、前記開口部がケース本体の長手方向のほぼ全長にわたって形成されているため、釣竿の出し入れが容易であるが、その一方で、前記開口部の開放時に釣竿がケース本体の収納空間から不用意に脱落して（転がり出て）しまう虞もある。
【０００４】
そのため、特許文献２は、前記開口部の開放時に釣竿がケース本体の収納空間から脱落するのを防止するシート状のカバー部材が開口部の一部を覆うように設けられて成る釣竿ケースを提案している。
【先行技術文献】
【特許文献】
【０００５】
【特許文献１】登録実用新公報第３０２９０３５号
【特許文献２】特開２００８−５４５４９号
【発明の概要】
【発明が解決しようとする課題】
【０００６】
しかしながら、特許文献２に開示される釣竿ケースでは、開口部の一部を覆うようにカバー部材が設けられているため、開口部の開放時には、カバー部材を避けるように開口部を通じて釣竿を出し入れする必要があり、ケース本体に対する釣竿の出し入れが面倒である（釣竿の出し入れが行ない難い）。
【０００７】
本発明は、前記事情に着目してなされたものであり、その目的とするところは、釣竿の出し入れが容易であるとともに、開口部の開放時に釣竿が収納空間から不用意に脱落することを防止できる釣竿ケースを提供することにある。
【課題を解決するための手段】
【０００８】
前記課題を解決するために、本発明の釣竿ケースは、釣竿を収納可能な収納空間を内側に形成するとともに、前記収納空間に対して釣竿を出し入れするための開口部をその長手方向のほぼ全長にわたって有するケース本体と、前記開口部を開閉するための開閉手段と、前記開口部を形成する前記ケース本体の対向する内面同士を係脱自在に係止させて前記開口部を部分的に閉じるための係止手段とを備えることを特徴とする。
【０００９】
このような構成によれば、開口部を開閉手段によって開放した場合であっても、係止手段によって開口部を形成するケース本体の対向する内面同士が着脱自在に係止されて開口部が部分的に閉じられているため、釣竿がケース本体の収納空間から不用意に脱落して（転がり出て）しまうことを防止できる。また、係止手段の係止状態を解除すれば、前記開口部がケース本体の長手方向のほぼ全長にわたって開放されるため、釣竿の出し入れが容易となる。
【発明の効果】
【００１０】
本発明によれば、開閉手段および係止手段により開口部を段階的に開閉できるため、釣竿の出し入れが容易であるとともに、開口部の開放時に釣竿が収納空間から不用意に脱落することを防止できる釣竿ケースを提供できる。
【図面の簡単な説明】
【００１１】
【図１】本発明の第１の実施形態に係る釣竿ケースの閉塞状態の斜視図である。
【図２】図１の釣竿ケースの開放状態の平面図である。
【図３】（ａ）は図１の釣竿ケースの開放状態の断面図、（ｂ）は図１の釣竿ケースの閉塞状態の断面図である。
【図４】本発明の第２の実施形態に係る釣竿ケースの開放状態の平面図である。
【図５】本発明の第３の実施形態に係る釣竿ケースの開放状態の平面図である。
【図６】図５の釣竿ケースの閉塞状態の断面図である。
【図７】本発明の第４の実施形態に係る釣竿ケースの閉塞状態の斜視図である。
【図８】本発明の釣竿ケースを収納するための収納パッケージの分解斜視図（第１の収納体を第２の収納体から完全に引き出した状態の斜視図）である。
【図９】図８の収納パッケージの収納状態（組み付け状態）の断面図である。
【図１０】第１の収納体を第２の収納体から部分的に引き出した状態を示す図８の収納パッケージの斜視図である。
【発明を実施するための形態】
【００１２】
以下、添付図面を参照しながら、本発明に係る釣竿ケースの実施形態について説明する。
【００１３】
図１〜図３は本発明の第１の実施形態を示している。これらの図に示されるように、本実施形態の釣竿ケース１は、釣竿、好ましくは複数の釣竿（図では、５本の釣竿１０Ａ〜１０Ｅが描かれているが、本数は任意である）を収納可能な収納空間Ｓを内側に形成するとともに、収納空間Ｓに対して釣竿１０Ａ〜１０Ｅを出し入れするための開口部５０をその長手方向Ｘのほぼ全長にわたって有するケース本体２と、ケース本体２の開口部５０を開閉するための開閉手段とを備える。
【００１４】
前記開閉手段は、本実施形態では、開口部５０を閉じるための蓋体３と、この蓋体３の内面とケース本体２の外面とに設けられて互いに着脱自在に接続する接続手段とから成る。
【００１５】
ケース本体２の収納空間Ｓは、前壁２ａと、後壁２ｂと、前壁２ａと後壁２ｂとを接続する周側壁（例えば、本実施形態では、上側で収納空間Ｓの奥行き方向Ｙに延びる上側周側壁部２ｄと、下側で収納空間Ｓの奥行き方向Ｙに延びる下側周側壁部２ｃと、上側周側壁部２ｄと下側周側壁部２ｃとを接続する背側周側壁部２ｅとから成る）とによって画定されている。前記周側壁は、後側周側壁部２ｅと対向する部分で前壁２ａと後壁２ｂとを接続しておらず、それにより、ケース本体２の長手方向Ｘのほぼ全長にわたって開口部５０を形成している。なお、本実施形態では、前記開閉手段を形成する蓋体３がケース本体２の後壁２ｂと一体を成して開口部５０を越えて延在しており、その延在長さは、開口部５０を閉じるように蓋体３をケース本体２の前壁２ａ上に重ね合わせて配置できる寸法に設定されている。
【００１６】
また、ケース本体２の周側壁、具体的には周側壁を形成する上側周側壁部２ｄおよび下側周側壁部２ｃにはそれぞれ、釣竿ケース１を肩で背負うためのショルダーベルト７を着脱自在に接続できるベルト接続具５が取着されている。
【００１７】
前記開閉手段を形成する前記接続手段は、蓋体３による開口部５０の閉塞時にケース本体２の前壁２ａと対面する蓋体３の内面部位に取着された面ファスナ２０Ａと、ケース本体２の前壁２ａの外面上に取着された面ファスナ２０Ｂとから成る。これらの面ファスナ２０Ａ，２０Ｂの一方はフックを備え、他方は前記フックと着脱自在に係合可能なループを有している。そのような係脱自在に接続できる面ファスナとしては、例えばベルクロ（登録商標）を挙げることができる。なお、本実施形態において、蓋体３の面ファスナ２０Ａは、蓋体３の外周縁付近の長手方向中央領域で、蓋体３の長手方向寸法の半分以上の長さ（好ましくは、蓋体３の開閉を容易にするため、蓋体３の全長の８割以下の長さ）にわたって延びている。一方、ケース本体２の前壁２ａの面ファスナ２０Ｂは、前壁２ａの中央付近で、前壁２ａの長手方向寸法の半分以上の長さ（面ファスナ２０Ａと同様の長さ）にわたって延びている。また、ケース本体２の前壁２ａの面ファスナ２０Ｂの幅（収納空間Ｓの奥行き方向Ｙの寸法）は、蓋体３の面ファスナ２０Ａの幅（収納空間Ｓの奥行き方向Ｙの寸法）よりも大きく（例えば２倍〜３倍）設定されており、収納空間Ｓ内に収納される釣竿の本数に応じて開口部５０を確実に閉塞できるように面ファスナ２０Ｂに対する面ファスナ２０Ａの取り付け位置に奥行き方向Ｙで自由度を持たせている。
【００１８】
また、本実施形態の釣竿ケース２は、開口部５０を形成するケース本体２の対向する内面同士、具体的には、ケース本体２の前壁２ａの内面２ａ’と後壁２ｂの内面２ｂ’とを係脱自在に係止させて開口部５０を部分的に閉じるための係止手段を有する。このような係止手段は、上側周側壁部２ｄおよび下側周側壁部２ｃにそれぞれ隣接して前壁２ａの内面２ａ’の開口部５０付近（前壁２ａの開口部５０側の端部）に取着された一対の面ファスナ３０Ａ，３０Ａと、上側周側壁部２ｄおよび下側周側壁部２ｃにそれぞれ隣接して後壁２ｂの内面２ｂ’の開口部５０付近（後壁２ｂの開口部５０側の端部）に取着された一対の面ファスナ３０Ｂ，３０Ｂとから成る。これらの面ファスナ３０Ａ，３０Ｂの一方はフックを備え、他方は前記フックと着脱自在に係合可能なループを有している。そのような係脱自在に接続できる面ファスナとしては、例えばベルクロ（登録商標）を挙げることができる。なお、本実施形態において、これらの面ファスナ３０Ａ，３０Ｂは長手方向Ｘに所定の長さにわたって延びている。面ファスナ３０Ａ，３０Ｂは、その長さが長いと開放（係止解除）し難く、その長さが短いと係止状態が不用意に解除されてしまうため、好ましくは例えば１０ｍｍ〜４０ｍｍの長さに設定される。また、面ファスナ３０Ａ，３０Ｂは、図２に示されるように、前壁２ａまたは後壁２ｂを形成する長方形平面の対角線Ｔ上に位置されるのが好ましく、特に前壁２ａまたは後壁２ｂの長手方向中心軸線Ｏよりも開口部５０側に位置されるのが更に好ましい。
【００１９】
以上の構成を成す釣竿ケース１に釣竿１０Ａ〜１０Ｅを収納する場合には、開閉手段を形成する面ファスナ２０Ａ，２０Ｂ同士の係合状態を解除するとともに、係止手段を形成する面ファスナ３０Ａ，３０Ｂ同士の係合状態を解除して、開口部５０を釣竿ケース１のほぼ全長にわたって開放した図３の（ａ）の状態とする。この状態では、開口部５０がケース本体２の長手方向Ｘのほぼ全長にわたって開放されるため、釣竿１０Ａ〜１０Ｅを容易に（スムーズに）ケース本体２の収納空間Ｓ内に収納することができる。
【００２０】
ケース本体２の収納空間Ｓ内に釣竿１０Ａ〜１０Ｅを完全に収納したら、続いて、開口部５０を閉塞する必要があるが、この閉塞は、まず、係止手段を形成する面ファスナ３０Ａ，３０Ｂ同士を係合させて、釣竿ケース１の上下の両側（長手方向Ｘの両端側）で開口部５０を部分的に閉塞することによってなされる。その後、蓋体３をケース本体２の前壁２ａ上に重ね合わせるように配置して、開閉手段を形成する面ファスナ２０Ａ，２０Ｂ同士を係合させる。これにより、蓋体３によって開口部５０が完全に閉じられる。その状態が図１および図３の（ｂ）に示されている。
【００２１】
一方、図３の（ｂ）の閉塞状態から釣竿１０Ａ〜１０Ｅを釣竿ケース１から取り出す場合には、まず、開閉手段を形成する面ファスナ２０Ａ，２０Ｂ同士の係合を解除して、蓋体３を開放する（図２参照）。このとき、係止手段を形成する面ファスナ３０Ａ，３０Ｂ同士は依然として係合状態にある（開口部５０が部分的に閉じられている）ため、釣竿１０Ａ〜１０Ｅがケース本体２の収納空間Ｓから不用意に脱落して（転がり出て）しまうことを防止できる。その後、係止手段を形成する面ファスナ３０Ａ，３０Ｂ同士の係合状態を解除して、開口部５０を釣竿ケース１のほぼ全長にわたって開放した図３の（ａ）の状態とする。この状態では、開口部５０がケース本体２の長手方向Ｘのほぼ全長にわたって開放されるため、釣竿１０Ａ〜１０Ｅを容易に（スムーズに）ケース本体２の収納空間Ｓ内に収納することができる。
【００２２】
以上のように、本実施形態によれば、開閉手段および係止手段により開口部５０を段階的に開閉できるため、釣竿１０Ａ〜１０Ｅの出し入れが容易であるとともに、開口部５０の開放時に釣竿１０Ａ〜１０Ｅが収納空間Ｓから不用意に脱落することを防止できる。
【００２３】
図４は本発明の第２の実施形態に係る釣竿ケース１Ａを示している。図示のように、本実施形態の釣竿ケース１Ａでは、係止手段を形成する面ファスナ３０Ａ，３０Ｂが、上側周側壁部２ｄおよび下側周側壁部２ｃから第１の実施形態よりも中央寄りに離れて位置され、開閉手段を形成する面ファスナ２０Ｂの両端部近傍にそれぞれ位置されている。この場合も、面ファスナ３０Ａ，３０Ｂは、前壁２ａまたは後壁２ｂを形成する長方形平面の対角線Ｔ（図２参照）上に位置されるとともに、前壁２ａまたは後壁２ｂの長手方向中心軸線Ｏ（図２参照）よりも開口部５０側に位置される。なお、それ以外の構成は第１の実施形態と同一である。したがって、第１の実施形態と同様の作用効果を得ることができる。
【００２４】
図５および図６は本発明の第３の実施形態に係る釣竿ケース１Ｂを示している。図示のように、本実施形態の釣竿ケース１Ｂでは、第１の実施形態の開閉手段および係止手段を形成する面ファスナ２０Ａ，２０Ｂ，３０Ａ，３０Ｂがホック２２Ａ，２２Ｂ，３２Ａ，３２Ｂに取って代えられている。これらのホック２２Ａ，２２Ｂ，３２Ａ，３２Ｂは、互いに対向させて押圧力を作用させることにより凹凸係止（圧入係合）するものであり、開閉手段を形成するホック２２Ａ，２２Ｂは、蓋体３およびケース本体２の前壁２ａの長手方向Ｘに沿って互いに所定の間隔を隔てて複数個設けられ、また、係止手段を形成するホック３２Ａ，３２Ｂは、第１の実施形態と同様に、側周側壁部２ｄおよび下側周側壁部２ｃにそれぞれ隣接して開口部５０付近に取着されている。なお、それ以外の構成は第１の実施形態と同一である。したがって、第１の実施形態と同様の作用効果を得ることができる。
【００２５】
図７は本発明の第４の実施形態に係る釣竿ケース１Ｃを示している。図示のように、本実施形態の釣竿ケース１Ｃでは、開閉手段が、第１の実施形態のような蓋体および面ファスナではなく、ケース本体２の前壁２ａと後壁２ｂとを直接に摺動ファスナ（チャック）６０によって開閉可能に接合することにより構成される。この場合、摺動ファスナ６０によって開閉される開口部５０は、ケース本体２の長手方向Ｘに延びる面２ｆ（前壁２ａと後壁２ｂとの接合面）の全長にわたって形成されるとともに、収納空間Ｓの奥行き方向Ｙに延びるケース本体２の面、すなわち、上側周側壁部２ｄおよび下側周側壁部２ｃの途中部分に至るまで形成されている（つまり、摺動ファスナ６０は上側周側壁部２ｄおよび下側周側壁部２ｃの途中部分に至るまで延びている）。なお、それ以外の構成は第１の実施形態と同一である。したがって、第１の実施形態と同様の作用効果を得ることができるとともに、開口部５０を大きく開放できるため、釣竿の出し入れを更に容易に行なうことができる。
【００２６】
図８〜図１０には、以上のように構成される釣竿ケース１（１Ａ，１Ｂ，１Ｃ）を収納するための収納パッケージが示されている。これらの図に示されるように、この収納パッケージは、釣竿ケース１を収納するための第１の収納体７０と、第１の収納体７０を収納するための第２の収納体８０とから成る。
【００２７】
第１の収納体７０は、釣竿ケース１を収納するための収納空間Ｓ１を内側に形成する上部が開口した断面が長方形の箱型形状を成す本体７１を有しており、この本体７１の上部開口の前後（長手方向Ｘ）両端部には、収納空間Ｓ１内に収納された釣竿ケース１を上側から押さえ付ける保持部７２，７３が本体７１と一体に設けられる。この場合、保持部７２，７３は、例えば、図９の断面に示されるように、本体７１の前後の上端縁から内側に水平に延びるとともに途中で収納空間Ｓ１側へ折り返して再び本体７１の上端縁へ戻るように延在することにより内側に空洞部を形成している。また、本体７１の前後（長手方向Ｘ）両端面には、保持部７２，７３と対向するその上部に、手１００の指１０２を挿入して引っ掛けることができる指掛け開口７４が形成されている。
【００２８】
また、第２の収納体８０は、第１の収納体７０を収納できる収納空間Ｓ２を内側に形成する前後を開閉可能な断面が長方形の箱型形状を成す本体８１から成る。本体８１は、前後の開口を開閉可能に閉じる閉塞片８２，８３，８４，８５を一体に有して成り、閉塞片８２，８３，８４，８５を上下左右に展開させることにより前後の開口を開放できる（図８および図１０では、一方の開口だけが開放されている）。
【００２９】
したがって、このような構成の収納パッケージを用いて釣竿ケース１を収納する場合には、まず、第１の収納体７０の保持部７２，７３を収納空間Ｓ１の外側に退避させた状態で、第１の収納体７０の本体７１の上部開口から釣竿ケース１を収納空間Ｓ１内に収納し、その収納状態で保持部７２，７３を元の位置に戻して釣竿ケース１を保持部７２，７３によって上側から押さえ付ける。その後、釣竿ケース１が収納された第１の収納体７０を第２の収納体８０内に収納して、閉塞片８２，８３，８４，８５により第２の収納体８０の開口を閉じればよい。
【００３０】
一方、収納パッケージに収納された釣竿ケース１を取り出す場合には、まず、第２の収納体８０から第１の収納体７０を引き出す。この場合、図９に示されるように、手１００の指１０２を第１の収納体７０の本体７１の指掛け開口７４に挿入して引っ掛けた状態で第１の収納体７０を引き出すと、容易にスムーズに引き出すことができる。その後、引き出された第１の収納体７０の保持部７２，７３を収納空間Ｓ１の外側に退避させれば、収納空間Ｓ１から釣竿ケース１を容易に取り出すことができる。
【００３１】
以上、本発明の実施形態を図面を参照して説明してきたが、本発明は、前述した実施形態に限定されず、その要旨を逸脱しない範囲で種々変形して実施できる。例えば、前述した実施形態では、開閉手段が面ファスナ、ホック、または、摺動ファスナにより構成されているが、開閉手段は開口部５０を開閉できればどのような形態であっても構わない。また、前述した実施形態では、係止手段が面ファスナまたはホックにより構成されているが、係止手段は、開口部の一部を着脱自在に開閉できればどのような形態であってもよく、例えば磁石による磁力を用いたものであってもよい。
【符号の説明】
【００３２】
１  釣竿ケース
２  ケース本体
３  蓋体（開閉手段）
１０Ａ〜１０Ｅ  釣竿
２０Ａ，２０Ｂ  面ファスナ（開閉手段、接続手段）
２２Ａ，２２Ｂ  ホック（開閉手段、接続手段）
３０Ａ，３０Ｂ  面ファスナ（係止手段）
３２Ａ，３２Ｂ  ホック（係止手段）
５０  開口部
６０  摺動ファスナ（開閉手段）
Ｓ  収納空間
【図１】
2014045703.tif 000003
【図２】
2014045703.tif 000004
【図３】
2014045703.tif 000005
【図４】
2014045703.tif 000006
【図５】
2014045703.tif 000007
【図６】
2014045703.tif 000008
【図７】
2014045703.tif 000009
【図８】
2014045703.tif 000010
【図９】
2014045703.tif 000011
【図１０】
2014045703.tif 000012